(57)【要約】【課題】  所定設定事項に基づいて送信処理を実行する情報処理装置を提供すること。【解決手段】  情報処理装置２０は、当該情報処理装置２０が起動する際に、送信処理の送信者の自動指定にかかる設定事項が設定実施済みであるかを確認する確認処理手段２０４と、上記確認処理手段２０４により上記設定事項が未だ設定されていないことが確認された場合に、上記設定事項の設定を促す対話設定処理を開始する対話設定処理手段２０６と、上記設定事項の設定の完了に応答して、上記設定事項が設定実施済みであり次回起動時の前記対話設定処理が不要であることを記録する記録処理手段２０８、設定された設定事項に基づき、指示された送信処理にかかる送信者を指定する送信者指定手段２１４とを含む。【選択図】  図４
2015156206.tif 000002
【特許請求の範囲】
【請求項１】
情報処理装置であって、
当該情報処理装置が起動する際に、送信処理の送信者の自動指定にかかる設定事項が設定実施済みであるかを確認する確認処理手段と、
前記確認処理手段により前記設定事項が未だ設定されていないことが確認された場合に、前記設定事項の設定を促す対話設定処理を開始する対話設定処理手段と、
前記設定事項の設定の完了に応答して、前記設定事項が設定実施済みであり次回起動時の前記対話設定処理が不要であることを記録する記録処理手段と、
設定された前記設定事項に基づき、指示された送信処理にかかる送信者を指定する送信者指定手段と
を含む情報処理装置。
【請求項２】
前記送信処理の送信者の自動指定にかかる設定事項は、事前設定された既定送信者を送信処理時に指定する自動送信者指定の有効または無効を示す事項を含む、請求項１に記載の情報処理装置。
【請求項３】
前記送信処理の送信者の自動指定にかかる設定事項は、前記自動送信者指定が有効の場合に用いられる既定送信者を含む、請求項２に記載の情報処理装置。
【請求項４】
前記対話設定処理手段は、既定送信者を直接入力することが選択される場合に、送信者情報の入力を促す対話送信者設定処理を呼び出し、入力された送信者を既定送信者として設定し、一方、既定送信者を事前定義された送信者とすることが選択される場合に、前記事前定義された送信者を既定送信者として設定する、請求項３に記載の情報処理装置。
【請求項５】
前記送信者指定手段は、送信処理の実行に際して、送信者が指定されていない場合に、送信者の入力を促す対話送信者入力画面に遷移させることを特徴とする、請求項１〜４のいずれか１項に記載の情報処理装置。
【請求項６】
前記送信者指定手段により指定された送信者を用いて送信処理を実行する送信処理手段をさらに含む、請求項１〜５のいずれか１項に記載の情報処理装置。
【請求項７】
前記送信処理は、画像を添付して所定の宛先メールアドレスにメール送信する処理である、請求項１〜６のいずれか１項に記載の情報処理装置。
【請求項８】
前記対話設定処理は、初回起動時に実行され、ユーザ対話で設定を受け付ける設定ウィザードの処理である、請求項１〜７のいずれか１項に記載の情報処理装置。
【請求項９】
前記既定送信者は、事前定義された管理者である、請求項３に記載の情報処理装置。
【請求項１０】
情報処理装置であって、
当該情報処理装置が起動する際に、送信処理の送信者の自動指定にかかる設定事項が設定実施済みであるかを確認する確認処理手段と、
前記確認処理手段により前記設定事項が未だ設定されていないことが確認された場合に、前記設定事項の設定を促す対話設定処理を開始する対話設定処理手段と、
前記設定事項の設定の完了に応答して、前記設定事項が設定実施済みであり次回起動時の前記対話設定処理が不要であることを記録する記録処理手段と、
送信処理の実行指示を受領する受領手段と、
前記受領手段が受け付けた送信処理の実行指示がネットワークを介したクライアント端末からの実行指示であるか否かを判定する判定手段と、
前記判定手段により前記ネットワークを介した実行指示ではないと判定された場合に、設定された前記設定事項に基づき、指示された送信処理にかかる送信者を指定する送信者指定手段と
を含む情報処理装置。
【請求項１１】
情報処理装置が実行する設定方法であって、前記情報処理装置が、
当該情報処理装置が起動する際に、送信処理の送信者の自動指定にかかる設定事項が設定実施済みであるかを確認するステップと、
前記確認するステップで前記設定事項が未だ設定されていないことが確認された場合に、前記設定事項の設定を促す対話設定処理を開始するステップと、
前記設定事項の設定の完了に応答して、前記設定事項が設定実施済みであり次回起動時の前記対話設定処理が不要であることを記録するステップと
を含み、設定された前記設定事項に基づき、指示された送信処理にかかる送信者が指定される、設定方法。
【請求項１２】
コンピュータを、
当該コンピュータが起動する際に、送信処理の送信者の自動指定にかかる設定事項が設定実施済みであるかを確認する確認処理手段、
前記確認処理手段により前記設定事項が未だ設定されていないことが確認された場合に、前記設定事項の設定を促す対話設定処理を開始する対話設定処理手段、
前記設定事項の設定の完了に応答して、前記設定事項が設定実施済みであり次回起動時の前記対話設定処理が不要であることを記録する記録処理手段、および
設定された前記設定事項に基づき、指示された送信処理にかかる送信者を指定する送信者指定手段
として機能させるためのプログラム。
【発明の詳細な説明】
【技術分野】
【０００１】
本発明は、情報処理装置、設定方法およびプログラムに関し、より詳細には、所定設定事項に基づいて送信処理を実行する情報処理装置、該情報処理装置の設定方法、および該情報処理装置を実現するためのプログラムに関する。
【背景技術】
【０００２】
従来、画像読取した画像データを、指定されたメールアドレスにメール送信する機能を備える複合機やスキャナなどの画像読取装置が提供されている。上記メール送信では、通常、送信者が指定されるところ、従来技術では、メール送信する際に必ず送信者を指定する必要があり、ユーザにとって手間となっていた。また、送信者の指定の仕方がユーザにとって理解しづらいため、いざユーザが使用したいときに、指定の仕方が分からず使えないという不具合があった。
【０００３】
画像形成装置の設定に関して、ユーザ操作の簡略化に資するものとして、特開２００７−２４９５１１号公報（特許文献１）が知られている。特許文献１は、複数の設定項目からなるユーザ・インタフェースに関して、各設定項目について、毎回入力設定するかまたは予め指定した既定値を使用するかの入力要不要情報、既定値を使用する場合における既定値情報等を記憶装置に記録しておく構成を開示している。そして、既定値を使用する設定項目についてはユーザ・インタフェースには表示せず、毎回入力設定する設定項目について表示順番にしたがってユーザ・インタフェースに表示される。これにより、分かり易く、且つ作業効率のよいユーザ・インタフェースを備えた画像形成装置を提供することを狙っている。
【０００４】
上記従来技術により、複合機の操作手順を幾分簡略化することができる。しかしながら、上述した入力要不要情報、既定値を使用する場合における既定値情報等の項目は、ユーザが事前に操作パネルから設定画面等を呼び出して設定しておく必要がある。しかしながら、そのような設定を事前に行わなければならないことをすべてのユーザが把握しているとは限らない。したがって、依然として、ユーザが送信処理を行おうとする際に、送信者の指定の仕方が分からず、ユーザが使用したいときに使えない可能性があるという不充分な点については、解消することができず、ユーザにとって手間ともなった。
【発明の概要】
【発明が解決しようとする課題】
【０００５】
本発明は、上記従来技術における不充分な点に鑑みてなされたものであり、本発明は、送信者を指定して送信処理を実行する情報処理装置において、送信処理の送信者の自動指定にかかる設定事項を、ユーザが容易かつもれなく設定できるようにし、送信時のユーザの作業負担を減らすことが可能な、情報処理装置、設定方法およびプログラムを提供することを目的とする。
【課題を解決するための手段】
【０００６】
本発明では、上記課題を解決するために、下記特徴を有する情報処理装置を提供する。本情報処理装置は、当該情報処理装置が起動する際に、送信処理の送信者の自動指定にかかる設定事項が設定実施済みであるかを確認する確認処理手段と、上記確認処理手段により上記設定事項が未だ設定されていないことが確認された場合に、上記設定事項の設定を促す対話設定処理を開始する対話設定処理手段と、上記設定事項の設定の完了に応答して、上記設定事項が設定実施済みであり次回起動時の対話設定処理が不要であることを記録する記録処理手段と、設定された設定事項に基づき、指示された送信処理にかかる送信者を指定する送信者指定手段とを含む。
【発明の効果】
【０００７】
上記構成により、送信者を指定して送信処理を実行する情報処理装置において、送信処理の送信者の自動指定にかかる設定事項を、ユーザが容易かつもれなく設定できるようにし、送信時のユーザの作業負担を減らすことが可能となる。
【図面の簡単な説明】
【０００８】
【図１】本実施形態による複合機を含むネットワーク環境を例示する図。
【図２】本実施形態による複合機のハードウェア構成およびソフトウェア構成を示す図。
【図３】本実施形態による複合機のコントローラ周辺のハードウェア構成を示す図。
【図４】本実施形態による複合機上で実現される画像読取メール送信機能の送信者設定処理に関連する機能ブロック図。
【図５】本実施形態による複合機が実行する全体処理を示すフローチャート。
【図６】本実施形態による複合機が実行する初回実行ウィザードの処理を示すフローチャート。
【図７】本実施形態による複合機が実行する送信者指定処理を示すフローチャート。
【図８】他の実施形態による複合機が実行する初回実行ウィザードの処理を示すフローチャート。
【図９】本実施形態または他の実施形態による複合機のディスプレイ上に表示される初回実行ウィザードの操作画面を例示する図。
【図１０】本実施形態による複合機のディスプレイ上に表示される送信者指定処理の操作画面を例示する図。
【図１１】他の実施形態による複合機が実行する送信者指定処理を示すフローチャート。
【図１２】他の実施形態によるリモートのクライアント端末のディスプレイ上に表示される送信者指定の操作画面を例示する図。
【発明を実施するための形態】
【０００９】
以下、特定の実施形態をもって説明するが、本発明の実施形態は、以下に説明する実施形態に限定されるものではない。なお、所定設定事項に基づいて送信処理を実行する情報処理装置および該情報処理装置の設定方法として、画像読取した画像をメール送信する機能を有する複合機、および上記複合機の設定方法を一例として説明する。
【００１０】
図１は、本実施形態による複合機２０を含むネットワーク環境１０を例示する図である。図１に示すネットワーク環境１０では、クライアント端末１４と、本実施形態による複合機２０とが、ネットワーク１２を介して相互に接続されている。
【００１１】
クライアント端末１４は、ユーザが操作するパーソナル・コンピュータ、スマートフォン、タブレット・コンピュータなどの情報処理端末である。クライアント端末１４には、当該クライアント端末１４から複合機２０を利用するためのソフトウェア・プログラム（プリンタドライバ、スキャナドライバ、プリントアプリケーション、スキャナアプリケーションなど）がインストールされている。
【００１２】
図１に示す複合機２０は、プリント機能、スキャナ機能、コピー機能といった種々の画像処理機能を備える情報処理装置である。複合機２０は、操作パネルを介したオペレータからの操作、またはクライアント端末１４から受信する指令に応答して、各種画像処理サービスを提供する。
【００１３】
図２は、本実施形態による複合機２０のハードウェア構成およびソフトウェア構成を示す図である。図３は、本実施形態による複合機２０のコントローラ１３０周辺のハードウェア構成を示す図である。
【００１４】
図２に示す複合機２０は、ＡＤＦ（Auto Document Feeder：原稿自動搬送装置）１１０と、スキャナユニット１１２と、排紙トレイ１１４と、給紙テーブル１２０と、プリントエンジン１２２と、排紙トレイ１２４と、コントローラ１３０とを含み構成される。本実施形態による複合機２０は、特に限定されるものではないが、スキャナユニット１１２およびプリントエンジン１２２を有しており、プリント機能、スキャナ機能およびコピー機能を備えた複合機として構成されている。
【００１５】
コントローラ１３０は、主制御部１３２と、エンジン制御部１３４と、画像処理部１３６と、入出力制御部１３８とを含む。なお、図２においては、電気的接続が実線の矢印で示されており、用紙や文書束などの流れが破線の矢印で示されている。
【００１６】
また、図２および図３に示すように、複合機２０は、ディスプレイ３２、操作部３４およびネットワークＩ／Ｆ３６をさらに含む。ディスプレイ３２は、複合機２０の状態を視覚的に表示する出力インタフェースである。操作部３４は、オペレータが複合機２０を直接操作し、または複合機２０に対して情報を入力する際の入力インタフェースである。説明する実施形態では、ディスプレイ３２および操作部３４は、タッチパネルとして一体的に構成されている。
【００１７】
ネットワークＩ／Ｆ３６は、複合機２０がネットワーク１２を介して他の情報処理装置と通信するためのインタフェースである。ネットワークＩ／Ｆ３６としては、Ｅｔｈｅｒｎｅｔ（登録商標）やＵＳＢ（Universal Serial Bus）インタフェースを用いることができる。
【００１８】
コントローラ１３０は、ソフトウェアおよびハードウェアの組み合わせによって構成される。コントローラ１３０は、図３に示すようなＣＰＵ（Central Processing Unit）２２と、ＲＡＭ（Random Access Memory）２４と、ＲＯＭ（Read Only Memory）２６と、ＨＤＤ（Hard Disk Drive）２８と、インタフェース３０とを含んだ構成とされている。これらのコンポーネントは、バス３８を介して相互に接続される。インタフェース３０には、ディスプレイ３２および操作部３４が接続される。また、インタフェース３０には、ＵＳＢメモリや光学ディスク等の取り外し可能な記憶媒体が接続されていてもよい。
【００１９】
ＲＯＭ２６やＨＤＤ２８や、不揮発性メモリ、光学ディスクなどの不揮発性記録媒体に格納されたファームウェアなどの制御プログラムがＲＡＭ２４などの揮発性メモリにロードされ、ＣＰＵ２２の制御に従って構成されるソフトウェア制御部と、集積回路などのハードウェアとを含んで、コントローラ１３０が構成される。
【００２０】
主制御部１３２は、コントローラ１３０に含まれる各部を制御する役割を担い、コントローラ１３０の各部に命令を与える。エンジン制御部１３４は、スキャナユニット１１２およびプリントエンジン１２２などを制御する。入出力制御部１３８は、ネットワークＩ／Ｆ３６を介して入力される信号や命令を主制御部１３２に入力する。また、主制御部１３２は、入出力制御部１３８を制御し、ネットワークＩ／Ｆ３６およびネットワーク１２を介してクライアント端末１４と通信する。入出力制御部１３８は、ディスプレイ３２に情報表示を行い、操作部３４を介して入力された情報を主制御部１３２に通知する。
【００２１】
画像処理部１３６は、主制御部１３２の制御に従って、印刷出力すべき画像情報に基づいて描画データを生成する。ここで、描画データは、プリントエンジン１２２が画像形成動作において形成すべき画像を描画するための情報である。プリントエンジン１２２の具体的態様としては、インクジェット方式や電子写真方式などのこれまで知られた如何なる方式の画像形成機構を用いることが可能である。
【００２２】
画像処理部１３６は、また、スキャナユニット１１２から入力される撮像データを処理し、画像データを生成する。ここで、画像データは、スキャナ動作の結果物として複合機２０に格納され、またはネットワークＩ／Ｆ３６を介してクライアント端末１４などの外部装置に送信される情報である。
【００２３】
複合機２０がスキャナ機能を提供する場合は、ユーザによる操作部３４の画像読取の実行指示、またはネットワークＩ／Ｆ３６を介して外部のクライアント端末１４から入力される画像読取の実行指示に応じて、入出力制御部１３８が主制御部１３２に画像読取実行信号を転送する。
【００２４】
主制御部１３２は、受信した画像読取実行信号に基づき、エンジン制御部１３４を制御する。エンジン制御部１３４は、ＡＤＦ１１０を駆動し、ＡＤＦ１１０にセットされた原稿をスキャナユニット１１２に搬送する。エンジン制御部１３４は、スキャナユニット１１２を駆動し、ＡＤＦ１１０から搬送される原稿を撮像する。ＡＤＦ１１０に原稿がセットされておらず、スキャナユニット１１２に直接原稿がセットされた場合は、スキャナユニット１１２は、エンジン制御部１３４の制御に従って、セットされた原稿を撮像する。
【００２５】
スキャナユニット１１２の具体的態様としては、ＣＣＤ（Charge Coupled Device）方式やＣＩＳ（Contact Image Sensor）方式など、これまで知られた如何なる方式の画像読取機構を用いることが可能である。撮像動作においては、スキャナユニット１１２の撮像素子が原稿を光学的に走査し、エンジン制御部１３４は、スキャナユニット１１２が生成した撮像情報を画像処理部１３６に転送する。画像処理部１３６は、主制御部１３２の制御に従って、エンジン制御部１３４から受信した撮像情報に基づき画像データを生成する。
【００２６】
画像処理部１３６によって生成された画像データは、ユーザの指示に応じて、そのままＨＤＤ２８に格納される。または、画像データは、または入出力制御部１３８およびネットワークＩ／Ｆ３６を介して、クライアント端末１４のネットワークフォルダやファイルサーバに送信されたりする。あるいは、メール送信が指示される場合は、入出力制御部１３８およびネットワークＩ／Ｆ３６を介して、指定のメールアドレスに宛ててメール送信される。画像データは、適宜、ＰＤＦ（Portable Document Format）、ＴＩＦＦ（Tagged Image File Format）、ＪＰＥＧ（Joint Photographic Experts Group）、ＸＰＳ（XML Paper Specification）などのフォーマットに変換される。
【００２７】
上述したように、本実施形態による複合機２０は、原稿を画像読取し、画像読取により生成した画像データを添付して、指定の宛先へメール送信する機能（以下、画像読取メール送信機能という。）を有する。この画像読取メール送信機能においては、送信者を指定する必要があるところ、メール送信する際に常に送信者をユーザ指定する必要があるとすると、ユーザにとって手間となる。また、送信者の指定の仕方がユーザにとって理解しづらいと、いざユーザが使用したいときに、送信者の指定の仕方が分からず、使えないということになる。
【００２８】
典型的には、ユーザは、管理者用設定において、あらかじめアドレス帳に送信者を登録しておき、メール送信時に、アドレス帳を呼び出して送信者として登録された登録情報を選択することにより、送信者の指定が行われる。このとき、送信者が事前設定されていない場合には、ユーザがいざ使用しようとした時に、送信者を指定するためのアドレス帳が呼び出せなかったり、アドレス帳に送信者に指定できる登録情報が見当たらなかったりするケースが発生し得る。この場合、画像読取の操作画面上からは送信者を入力できないため、ユーザは、画像読取操作を一旦取りやめ、管理者用設定を呼び出し、送信者を設定することになる。しかしながら、ユーザは、そのような手順を把握していないことが多い。
【００２９】
そこで、本実施形態による複合機２０は、メール送信の送信者を自動で指定する機能を備えており、さらに、購入後（あるいは工場出荷状態に戻された後）の初回起動時に必ず実行されるウィザードから、自動送信者指定にかかる設定事項の設定を行えるように構成されている。さらに、好ましい実施形態では、メール送信の際に、送信者が指定されていないことを検知した場合に、複合機２０は、ユーザが指定方法に迷わないよう画像読取の操作画面から送信者入力画面に遷移させるよう構成されている。
【００３０】
以下、図４〜図７、図９および図１０を参照しながら、本実施形態による画像読取メール送信機能における送信者設定処理について説明する。図４は、本実施形態による複合機２０上で実現される画像読取メール送信機能の送信者設定処理に関連する機能ブロック図である。
【００３１】
図４に示すように、複合機２０の機能ブロック２００は、起動処理部２０２と、初回起動確認処理部２０４と、ウィザード設定処理部２０６と、初回設定実施記録処理部２０８と、指示受領部２１０と、画像送信処理部２１２と、送信者指定処理部２１４とを含み構成される。さらに、機能ブロック２００には、各種設定情報２２０，２２２，２２４が保持される。これらの各部は、典型的には、主制御部１３２上で実現される。
【００３２】
起動処理部２０２は、当該複合機２０の電源が投入されたことに応答して、ＲＯＭ２６やＨＤＤ２８からファームウェアなどのプログラムを読み出し、複合機２０を起動させる起動処理を実行する。起動処理部２０２は、また、起動処理中、上述したウィザードの実施の要否を判断するため、初回起動確認処理部２０４を呼び出す。
【００３３】
機能ブロック２００には、各種設定情報として、ウィザード実施フラグ２２０が保持される。ウィザード実施フラグ２２０は、初回起動時に実行されるウィザード（以下、初回実行ウィザードと参照する。）を介した設定が実施済みであるか否かを示すフラグである。初回起動確認処理部２０４は、起動処理部２０２から呼び出され、初回実行ウィザード実施フラグ２２０を参照し、初回実行ウィザードの設定実施済みであるか否かを確認する。ウィザード実施フラグ２２０が未実施を示す場合は、メール送信処理の送信者の自動指定にかかる設定事項が設定実施済みではないことを意味する。このため、初回起動確認処理部２０４は、ウィザード設定処理部２０６を呼び出す。
【００３４】
ウィザード設定処理部２０６は、初回起動確認処理部２０４から呼び出され、初回実行ウィザードの画面をディスプレイ３２上に表示し、対話設定処理を開始する。ここで、初回実行ウィザードは、少なくともメール送信処理の送信者の自動指定にかかる設定事項の設定を促し、ユーザから対話的に設定を受け付ける対話設定処理を行うためのソフトウェア・プログラムである。なお、初回実行ウィザードは、ネットワーク設定、管理者設定など、その他の設定事項を設定する対話設定処理を含んでいてもかまわないが、説明の便宜上、ここでは、メール送信者に関する設定事項に注目して説明する。メールの送信者設定以外のメール送信に関する必要設定事項、例えば、ネットワーク設定や、メールサーバ設定（ＳＭＴＰサーバ名またはアドレス；ポート番号）は、上記初回実行時ウィザードまたは別途呼び出される初期設定画面を介して別途設定されるものとする。
【００３５】
機能ブロック２００には、各種設定情報として、自動送信者指定有効／無効フラグ２２２および既定送信者情報２２４が保持される。自動送信者指定有効／無効フラグ２２２は、自動送信者指定が「有効」であるか「無効」であるかを示すフラグである。既定送信者情報２２４は、自動送信者指定が「有効」である場合に既定で用いる送信者の登録情報を保持するデータである。上述したウィザードによる対話設定処理を介して、メール送信処理の送信者の自動指定を有効とするか無効とするかの設定が実施され、自動指定を有効とする場合は、好ましくは、さらに既定送信者情報の設定が実施される。既定送信者は、例えばベンダ側で事前定義されたデフォルト値（好ましくは複合機の管理者）としてもよいし、ウィザードの画面上で、既定とする送信者の情報の入力を受け付けてもよい。なお、初回実行ウィザードについては、詳細を後述する。
【００３６】
初回実行ウィザードを介して設定が完了すると、初回設定実施記録処理部２０８が呼び出される。初回設定実施記録処理部２０８は、上述した初回実行ウィザードによる設定の完了に応答して、ウィザード実施フラグ２２０を、設定済みを示す値に書き換える。これにより、設定実施済みであり次回以降の起動時にウィザードの呼び出しが不要であることが記録される。ウィザード実施フラグ２２０は、値を永続的に保持する不揮発性記憶媒体（例えばフラッシュＲＯＭなど）上に保持される。ここで、永続的に保持されるとは、情報が、不揮発に保存され、少なくとも初期状態ないし工場出荷状態に戻すまで維持されることをいう。
【００３７】
起動処理が完了すると、複合機２０は、画像読取メール送信の実行指示を受領可能となる。指示受領部２１０は、ユーザからの操作パネルを介した画像読取メール送信の実行指示、ネットワーク１２を介したクライアント端末１４からの実行指示を受領して、画像送信処理部２１２を呼び出す。例えば、タッチパネルのメイン操作画面上で、画像読取メール送信機能が選択され、画像読取メール送信の操作画面が表示される。その画面上で、ファイルフォーマット、解像度、宛先メールアドレスなどの種々条件が指定された後、スタートボタンが押下されると、画像読取メール送信の実行指示が指示受領部２１０に対して伝達される。
【００３８】
画像送信処理部２１２は、画像読取メール送信の実行指示を受領すると、まず上述したエンジン制御部１３４および画像処理部１３６による撮像動作を行い、画像処理部１３６によって所定フォーマットの画像データを生成させる。そして、画像送信処理部２１２は、生成された画像データを添付して、入出力制御部１３８およびネットワークＩ／Ｆ３６を介して、ＳＭＴＰ（Simple Mail Transfer Protocol）などのプロトコルに従い、指定の宛先メールアドレスに宛ててメール送信する。
【００３９】
画像送信処理部２１２は、上述したメール送信処理に先立って、メールの送信者を指定するために、送信者指定処理部２１４を呼び出す。送信者指定処理部２１４は、上記自動送信者指定有効／無効フラグ２２２を参照し、設定値に基づき送信処理にかかる送信者を指定する。自動送信者指定有効／無効フラグ２２２が「有効」を示せば、既定送信者情報２２４に記述された既定送信者を送信者として指定する。自動送信者指定有効／無効フラグ２２２が「無効」を示し、かつ、画像読取メール送信の操作画面上で送信者のユーザ指定がなければ、送信者の入力を促す対話送信者入力画面に遷移させ、対話送信者入力画面を介して入力された送信者を送信者として指定する。
【００４０】
以下、図５〜図７に示すフローチャート並びに図９および図１０に示す操作画面を参照しながら、初回実行ウィザードの処理から画像読取メール送信処理までの処理の流れについて、より詳細に説明する。図５は、本実施形態による複合機２０が実行する全体処理を示すフローチャートである。図６は、本実施形態による複合機２０が実行する初回実行ウィザードの処理を示すフローチャートである。また、図７は、本実施形態による複合機２０が実行する送信者指定処理を示すフローチャートである。図９および図１０は、本実施形態による複合機２０のディスプレイ３２上で表示される操作画面を例示する図である。
【００４１】
図５に示す処理は、複合機２０に対する電源投入に応答して、ステップＳ１００から開始される。ステップＳ１０１では、複合機２０では、ＣＰＵ２２が、ＲＯＭ２６からＩＰＬ（Initial Program Loader）を読み出し、ＨＤＤ２８から制御プログラムを読み出だし、起動処理部２０２による起動処理を開始させる。ステップＳ１０２では、複合機２０は、初回起動確認処理部２０４を呼び出し、ウィザード実施フラグ２２０を参照して、ステップＳ１０３では、ウィザード実施フラグ２２０の値に応じて処理を分岐させる。ステップＳ１０３で、ウィザード実施フラグ２２０が初回実行ウィザード未実施を示し、初回起動であると判定された場合（ＹＥＳ）は、ステップＳ１０４へ処理を進める。ステップＳ１０４では、複合機２０は、ウィザード設定処理部２０６を呼び出して、初回実行ウィザードを実行し、図６に示す処理が呼び出される。
【００４２】
図６に示す処理は、図５に示したステップＳ１０４で呼び出されて、ステップＳ２００から開始される。ステップＳ２０１では、ウィザード設定処理部２０６は、図９（Ａ）に示すような設定画面３００を表示させる。
【００４３】
図９（Ａ）に示す設定画面３００は、メール送信処理の送信者の自動指定を有効とするか無効とするかの設定を行うための操作画面である。設定画面３００は、初回実行ウィザードの進行状況を戻すための「戻る」ボタン３０２と、現在の設定内容で設定処理を次へ進める「次へ」ボタン３０４と、設定事項を説明するメッセージ３０６とを含む。メッセージ３０６は、メール送信者の自動指定を有効にするか否かを求めるメッセージである。設定画面３００には、設定項目の選択を受け付けるため、自動指定を有効とする指示を受け付ける「する」ボタン３０８と、自動指定を無効とする指示を受け付ける「しない」ボタン３１０とが含まれる。
【００４４】
ステップＳ２０２では、ウィザード設定処理部２０６は、設定画面を介して設定の確定の指示が行われたか否かを判定する。ステップＳ２０２で、設定確定の指示を受け付けていないと判定された場合（ＮＯ）は、ステップＳ２０１へ処理がループされる。一方、ステップＳ２０２で、設定確定の指示を受け付けたと判定された場合（ＹＥＳ）は、ステップＳ２０３へ処理が分岐される。例えば、設定画面３００で、「次へ」ボタン３０４が押下され、他の設定画面等を適宜経由して最終的なウィザードによる設定を確定する指示を受け付けるボタンが押下されると、設定確定指示が受け付けられたと判定される。
【００４５】
ステップＳ２０３では、ウィザード設定処理部２０６は、自動送信者指定が有効と指示されたか、無効と指示されたかを判定する。ステップＳ２０３で、自動送信者指定を有効とする指示であると判定された場合（ＹＥＳ）は、ステップＳ２０４へ処理が進められる。ステップＳ２０４では、ウィザード設定処理部２０６は、自動送信者指定有効／無効フラグ２２２を「有効」に設定する。ステップＳ２０５では、ウィザード設定処理部２０６は、例えば管理者を既定送信者として既定送信者情報２２４を設定し、ステップＳ２０７で、本処理が終了し、図５に示す処理に戻される。
【００４６】
一方、ステップＳ２０３で、自動送信者指定を無効とする指示であると判定された場合（ＮＯ）は、ステップＳ２０６へ処理が進められる。ステップＳ２０６では、ウィザード設定処理部２０６は、自動送信者指定有効／無効フラグ２２２を「無効」に設定し、ステップＳ２０７で、本処理が終了し、図５に示す処理に戻される。
【００４７】
再び図５に戻ると、ステップＳ１０５では、複合機２０は、初回実行ウィザードの完了に応答して、初回設定実施記録処理部２０８により、ウィザード実施フラグ２２０を、初回ウィザード実施済みを示す値に更新し、ステップＳ１０６へ処理を進める。一方、ステップＳ１０３で、ウィザード実施フラグ２２０が、初回ウィザード実施済みを示す場合は、ステップＳ１０６へ処理が直接進められる。
【００４８】
ステップＳ１０６では、複合機２０は、指示受領部２１０により、ユーザからの画像読取メール送信の実行指示を受領したか否かを判定する。ステップＳ１０６で、画像読取メール送信の実行指示を受領したと判定された場合（ＹＥＳ）は、ステップＳ１０７へ処理が分岐される。画像読取メール送信の実行指示は、画像送信処理部２１２に伝達されて、ステップＳ１０７では、複合機２０は、送信者指定処理部２１４を呼び出し、図７に示す送信者指定処理を実行する。
【００４９】
図７に示す処理は、図５に示したステップＳ１０７で呼び出されて、ステップＳ３００から開始される。ステップＳ３０１では、送信者指定処理部２１４は、自動送信者指定有効／無効フラグ２２２を参照し、フラグの値に応じて処理を分岐させる。ステップＳ３０１で、自動送信者指定有効／無効フラグ２２２が「有効」を示す場合（ＹＥＳ）は、ステップＳ３０２へ処理を進める。ステップＳ３０２では、送信者指定処理部２１４は、既定送信者情報２２４を読み出し、既定送信者を送信者として指定し、ステップＳ３０３へ処理を進める。一方、ステップＳ３０１で、自動送信者指定有効／無効フラグ２２２が「無効」を示す場合（ＮＯ）は、ステップＳ３０３へ処理が進められる。
【００５０】
ステップＳ３０３では、送信者指定処理部２１４は、送信者が未指定であるか否かを判定する。ここでは、画像読取メール送信の実行指示に際して、送信者がユーザ指定されていたり、あるいは、自動送信者指定有効／無効フラグ２２２が有効であったりする場合には、送信者が指定済みであると判定される。
【００５１】
ステップＳ３０３では、送信者が未指定であると判定された場合（ＹＥＳ）は、ステップＳ３０４へ処理が進められる。ステップＳ３０４では、送信者指定処理部２１４は、図１０（Ａ）に示すような送信者入力画面を表示させる。
【００５２】
図１０（Ａ）に示す送信者入力画面３６０は、送信者入力をキャンセルし元の画像読取メール送信の操作画面へ戻すためのキャンセルボタン３６２と、現在の設定内容で確定する決定ボタン３６４と、表示項目を選択するタブ３６６と、メッセージ３６８とを含み構成される。図１０（Ａ）の例示では、表示項目として「アドレス」タブ３６６が選択され、メッセージ３６８は、メール送信者のメールアドレスの入力を促している。この場合、送信者入力画面３６０には、送信者のメールアドレスを直接入力するためのテキストボックス３７０と、ソフトウェアキーボード３７２とが表示される。
【００５３】
ユーザは、タブ３６６で、アドレスを設定項目として選択し、ソフトウェアキーボード３７２を介して、送信者の所望のメールアドレスを入力し、決定ボタン３６４を押下することにより、送信者の直接入力を行う。なお、送信者の登録情報としては、メールアドレスの他、名称などの情報があってもよい。
【００５４】
テップＳ３０５では、送信者指定処理部２１４は、図１０（Ａ）に示した送信者入力画面３６０を介して送信者の確定の指示が行われたか否かを判定する。ステップＳ３０５で、確定の指示を受け付けていないと判定された場合（ＮＯ）は、ステップＳ３０４へ処理がループされる。一方、ステップＳ３０５で、確定の指示を受け付けたと判定された場合（ＹＥＳ）は、ステップＳ３０６へ処理が分岐される。ステップＳ３０６では、送信者指定処理部２１４は、送信者入力画面３６０を介して入力された送信者を指定し、ステップＳ３０７へ処理を進める。
【００５５】
また、上述したステップＳ３０３で、送信者が指定済みであると判定された場合（ＮＯ）は、ステップＳ３０７へ処理が直接進められる。ステップＳ３０７では、送信者指定処理部２１４は、図１０（Ｂ）に示すような送信者が指定された結果として送信者指定結果画面を表示させる。
【００５６】
図１０（Ｂ）に示す送信者指定結果画面３８０は、画像読取メール送信の操作画面を再表示するような画面であり、宛先の指定状態を示すグラフィカル・ユーザ・インタフェース（以下、ＧＵＩと参照）部品３８２と、指定された送信者が入力されるテキストボックス３８４と、ボタン３８６，３８８と、件名の指定状態を示すＧＵＩ部品３９０と、各種画像読取およびメール送信の設定状態を示すＧＵＩ部品３９２〜３９８とを含み構成される。ボタン３８６は、送信者が自動指定されていることを示すボタンであり、ボタン３８８は、送信者が直接入力されたものであることを示すボタンである。
【００５７】
図１０（Ｂ）の例示では、図７のステップＳ３０１で、自動送信者指定有効／無効フラグが無効と判定され、ステップＳ３０４で、送信者が入力された後の状態を示している。そして、直接入力されたアドレスが、テキストボックス３８４に入力されている。図１０（Ｂ）に示す画面が表示された状態で、スタートボタンが再び押下されると、画像読取メール送信の実行の指示が確定される。
【００５８】
そして、ステップＳ３０８で、本処理が終了し、図５に示す処理に戻される。好ましくは、送信者入力画面を介して入力された送信者は、以後のメール送信で選択可能な送信者として設定登録される。
【００５９】
再び図５に戻ると、ステップＳ１０８では、複合機２０は、上述した撮像動作に基づき画像処理部１３６によって生成された画像データを添付して、指定の宛先メールアドレスに宛てたメール送信処理を実行し、ステップＳ１０９へ処理を進める。また、ステップＳ１０６で、画像読取メール送信の実行指示を受領していないと判定された場合（ＮＯ）も、ステップＳ１０９へ直接処理が分岐される。
【００６０】
ステップＳ１０９では、複合機２０は、電源断が行われたか否かに応じて処理が分岐される。ステップＳ１０９で、電源断が行われていなければ（ＮＯの場合）、ステップＳ１０６へ処理がループし、複合機２０は、画像読取メール送信の実行指示の待ち受けを継続する。一方、ステップＳ１０９で、電源断が行われていれば（ＹＥＳの場合）は、ステップＳ１１０へ処理が分岐されて、本処理が終了する。
【００６１】
従来技術では、仮に初回電源投入時にウィザード処理が行われたとしても、ウィザード処理では、送信者の自動指定にかかる設定を行うことができなかった。これに対して、本実施形態による複合機２０では、初回電源時を検出して実行される初回実行ウィザードにおいて、送信者の自動指定にかかる設定を行うことが可能となる。このため、送信者設定を行わなければならないことを知らないユーザであっても、初回起動時に必ず設定する必要があるため、送信者の設定漏れを防ぐことができるようになる。また、送信者の自動指定を有効とすることを選択できるため、ユーザの手間が省かれ、またメール送信などネットワークに詳しくないユーザでも容易に使用できるようになる。
【００６２】
さらに、上記送信者指定処理により、メール送信に際して送信者が指定されていない場合に、画像読取メール送信の操作画面から、送信者入力画面へ遷移させて、送信者を設定することができるようになる。これにより、送信者の設定漏れを防ぐことができ、送信者設定を行うための画面へ適切にユーザを誘導することが可能となる。
【００６３】
以下、既定送信者をさらに柔軟に設定することができる他の実施形態について、図８を参照しながら説明する。図８は、他の実施形態による複合機２０が実行する初回実行ウィザードの処理を示すフローチャートである。なお、複合機のハードウェアおよびソフトウェア構成（図２，図３）、機能ブロック（図４）、全体フロー（図５）、および送信者指定処理（図７）の構成は、上述した実施形態と同様であり、以下、相違点を中心として説明する。
【００６４】
図８に示す処理も、図５に示したステップＳ１０４で呼び出されて、ステップＳ４００から開始される。ステップＳ４０１では、ウィザード設定処理部２０６は、図９（Ａ）に示す設定画面３００を表示させる。設定画面３００において、「次へ」ボタン３０４が押下されると、図９（Ｂ）に示す設定画面３２０に遷移される。図９（Ｂ）に示す設定画面３２０は、設定画面を戻すための「戻る」ボタン３２２と、現在の設定内容で設定を次へ進める「次へ」ボタン３２４と、設定事項を説明するメッセージ３２６とを含む。メッセージ３２６は、メール送信者の自動指定の既定送信者を直接入力により設定するか、ベンダ等でデフォルトとして事前定義されたデフォルト値を用いるかを求めるメッセージである。設定画面３２０には、送信者の直接入力の指示を受け付ける「直接入力」ボタン３２８と、送信者のデフォルト値（この例では管理者である。）とする指示を受け付ける「管理者」ボタン３３０とが含まれる。図９（Ａ）に示す設定画面３００で自動指定を無効とすることが選択され確定した場合、または、図９（Ａ）に示す設定画面３００で自動指定を有効とすることが選択され、図９（Ｂ）に示す設定画面３２０で直接入力またはデフォルト値の選択がなされ確定した場合は、ステップＳ４０２へ処理が進められる。
【００６５】
ステップＳ４０２では、ウィザード設定処理部２０６は、自動送信者指定が「有効」と指示されたか、「無効」と指示されたかを判定する。ステップＳ４０２で、自動送信者指定が「有効」と指示されたと判定された場合（ＹＥＳ）は、ステップＳ４０３へ処理を進める。ステップＳ４０３では、ウィザード設定処理部２０６は、さらに、直接入力が選択されたか、デフォルトが選択されたかに応じて処理を分岐させる。ステップＳ４０３で、直接入力が選択されたと判定された場合は、ステップＳ４０４へ処理を分岐させる。ステップＳ４０４では、図９（Ｃ）に示す設定画面３４０に遷移する。
【００６６】
図９（Ｃ）に示す設定画面３４０は、設定画面を戻すための戻るボタン３４２と、現在の設定内容で設定を次へ進める「次へ」ボタン３４４と、表示項目を選択するタブ３４６と、設定内容を説明するメッセージ３４８とを含み構成される。図９（Ｃ）の例示では、表示項目として「アドレス」タブ３４６が選択され、メッセージ３４８は、メール送信者のメールアドレスの入力を促している。この場合、設定画面３４０には、送信者のメールアドレスを直接入力するためのテキストボックス３５０と、ソフトウェアキーボード３５２とが表示される。
【００６７】
ユーザは、タブ３４６で、アドレスを設定項目として選択し、ソフトウェアキーボード３５２を介して、送信者の所望のメールアドレスを入力し、「次へ」ボタン３４４を押下することにより、送信者の直接入力を行う。なお、送信者の登録情報としては、メールアドレスの他、名称などの情報があってもよい。
【００６８】
ステップＳ４０５では、設定画面３４０を介して入力された送信者を既定送信者とし、既定送信者情報２２４を書き換え、ステップＳ４０８へ処理を進める。一方、ステップＳ４０３で、デフォルトが選択されたと判定された場合は、ステップＳ４０６へ処理が分岐される。ステップＳ４０６では、ウィザード設定処理部２０６は、事前定義された送信者（この例では管理者である。）を既定送信者とし、既定送信者情報２２４を書き換え、ステップＳ４０７へ処理を進める。
【００６９】
ステップＳ４０７では、ウィザード設定処理部２０６は、自動送信者指定有効／無効フラグ２２２を「有効」に設定し、ステップＳ４０９で、本処理が終了し、図５に示す処理に戻される。
【００７０】
一方、ステップＳ４０２で、自動送信者指定を「無効」と指示されたと判定された場合（ＮＯ）は、ステップＳ４０８へ処理を進める。ステップＳ４０８では、ウィザード設定処理部２０６は、自動送信者指定有効／無効フラグ２２２を「無効」に設定し、ステップＳ４１０で、本処理を終了し、図５に示す処理に戻る。
【００７１】
図８を参照して説明した実施形態によれば、ユーザが既定値とした既定送信者を入力設定することが可能である。また、既定送信者として事前定義されたデフォルト値（例えば管理者）に選択することが可能であるため、メール送信などネットワークに詳しくないユーザでも容易に使用することができる。
【００７２】
以下、ユーザからの操作パネルを介した画像読取メール送信の実行指示であるか、ネットワーク１２を介したクライアント端末１４からの実行指示であるかに応じて、制御を変更する他の実施形態について、図１１および図１２を参照しながら説明する。
【００７３】
図１１は、他の実施形態による複合機２０が実行する送信者指定処理を示すフローチャートである。図１２は、他の実施形態によるリモートのクライアント端末のディスプレイ上に表示される送信者指定の操作画面を例示する図である。なお、複合機のハードウェアおよびソフトウェア構成（図２，図３）、機能ブロック（図４）、全体フロー（図５）、および初回設定ウィザードの処理（図６または図８）の構成は、上述までの実施形態と同様であり、以下、相違点を中心として説明する。
【００７４】
図１１に示す処理も、図５に示したステップＳ１０７で呼び出されて、ステップＳ５００から開始される。ステップＳ５０１では、送信者指定処理部２１４は、まず、操作パネルを介した画像読取メール送信の実行指示であるか、クライアント端末１４からのリモートＵＩを介した実行指示であるかに応じて処理を分岐させる。
【００７５】
ステップＳ５０１で、操作パネルを介した画像読取メール送信の実行指示であり、リモートＵＩを介した実行指示ではないと判定された場合（ＮＯ）は、ステップＳ５０２へ処理を分岐させる。ステップＳ５０２〜ステップＳ５０８の処理は、図７に示したステップＳ３０１〜ステップＳ３０７の処理と同一であるため、説明は割愛する。
【００７６】
これに対して、ステップＳ５０１で、操作パネルを介した画像読取メール送信の実行指示ではなく、リモートＵＩを介した実行指示であると判定された場合（ＹＥＳ）は、ステップＳ５０９へ処理を分岐させる。
【００７７】
ステップＳ５０９では、送信者指定処理部２１４は、送信者が未指定であるか否かを判定する。ここでは、画像読取メール送信の実行指示に際して、送信者がユーザ指定されていた場合には、送信者が指定済みであると判定される。
【００７８】
ステップＳ５０９で、送信者が未指定であると判定された場合（ＹＥＳ）は、ステップＳ５１０へ処理が進められる。ステップＳ５１０では、送信者指定処理部２１４は、図１２に示すような送信者指定画面をクライアント端末１４のリモートＵＩ画面上に表示させる。
【００７９】
図１２に示す送信者指定画面４００は、画像読取メール送信画面を再表示するような画面であり、宛先の指定状態を示すＧＵＩ部品４０２〜４０６と、送信者が未入力であることを示し、送信者を入力するためのＧＵＩ部品４０８，４０９と、件名の指定状態を示すＧＵＩ部品４１０と、各種画像読取およびメール送信の設定状態を示すＧＵＩ部品４１２〜４１８と、スキャンして送信を実行するためのボタン４２０と、キャンセルボタン４２２とを含み構成される。この場合、送信者を入力するためのボタン４０９をタップまたはクリックして、自身の電話帳の中からアドレスを選択するか、またはキーボード等を使って直接入力し、ボタン４２０をタップまたはクリックして、再実行指示することになる。
【００８０】
ステップＳ５１１では、送信者指定処理部２１４は、クライアント端末１４から、送信者指定画面４００を介して入力された送信者を受信し、受信した送信者を指定し、ステップＳ５１２へ処理を進め、本処理を終了し、図５に示す処理に戻される。一方、ステップＳ５０９で、送信者が指定済みと判定された場合（ＮＯ）も、ステップＳ５１１へ直接処理が分岐され、送信者指定処理部２１４は、受信したその指定済みの送信者を指定し、ステップＳ５１２へ処理を進め、本処理を終了し、図５に示す処理に戻される。
【００８１】
上述した自動送信者指定機能は、複合機２０の操作パネルが制約されていることから、ユーザの送信者指定の不便を解消するために提供される機能である。これに対して、リモートＵＩを用いる場合は、クライアント端末１４の比較的に制限のない自由なＧＵＩが配置されるディスプレイを利用することができる。図１１および図１２を参照して説明した実施形態によれば、ユーザからの操作パネルを介した画像読取メール送信の実行指示に対してだけ、自動送信者指定機能を適用する。複合機２０のそばに、スマートフォンやタブレット端末などのクライアント端末を携帯したユーザが、操作パネル代わりにクライアント端末を利用するユースケースが想定されるが、そのようなユースケースでは、自動送信者指定機能を利用せず、クライアント端末に提供されたリッチな操作画面上で送信者の指定を求めるということになる。
【００８２】
以上説明した実施形態によれば、送信者を指定して送信処理を実行する情報処理装置において、送信処理の送信者の自動指定にかかる設定事項を、ユーザが容易かつもれなく設定できるようにし、送信時のユーザの作業負担を減らすことが可能な、情報処理装置、設定方法およびプログラムを提供することができる。
【００８３】
なお、上述した実施形態では、情報処理装置として複合機２０を一例として説明したが、画像読取機能およびネットワーク通信機能を備えたスキャナなどの画像読取装置、ファクシミリなどの画像送信装置、撮像機能およびネットワーク通信機能を備えたスチルカメラやビデオカメラなどの撮像装置などのこれまで知られた如何なる情報処理装置として構成することができる。上述したい実施形態では、一般的な電子メール送信を念頭に説明したが、ＩＴＵ−Ｔ．３７に規定されるメール方式のインターネットＦＡＸ（Facsimile）など他の画像送信処理についても同様に適用することができる。
【００８４】
また、上記機能部は、アセンブラ、Ｃ、Ｃ＋＋、Ｃ＃、Ｊａｖａ（登録商標）などのレガシープログラミング言語やオブジェクト指向プログラミング言語などで記述されたコンピュータ実行可能なプログラムにより実現でき、ＲＯＭ、ＥＥＰＲＯＭ、ＥＰＲＯＭ、フラッシュメモリ、フレキシブルディスク、ＣＤ−ＲＯＭ、ＣＤ−ＲＷ、ＤＶＤ−ＲＯＭ、ＤＶＤ−ＲＡＭ、ＤＶＤ−ＲＷ、ブルーレイディスク、ＳＤカード、ＭＯなど装置可読な記録媒体に格納して、あるいは電気通信回線を通じて頒布することができる。
【００８５】
これまで本発明の実施形態について説明してきたが、本発明の実施形態は上述した実施形態に限定されるものではなく、他の実施形態、追加、変更、削除など、当業者が想到することができる範囲内で変更することができ、いずれの態様においても本発明の作用・効果を奏する限り、本発明の範囲に含まれるものである。
【符号の説明】
【００８６】
１０…ネットワーク環境、１２…ネットワーク、１４…クライアント端末、２０…複合機、２２…ＣＰＵ、２４…ＲＡＭ、２６…ＲＯＭ、２８…ＨＤＤ、３０…インタフェース、３２…ディスプレイ、３４…操作部、３６…ネットワークＩ／Ｆ、３８…バス、１１０…ＡＤＦ、１１２…スキャナユニット、１１４…排紙トレイ、１２０…給紙テーブル、１２２…プリントエンジン、１２４…排紙トレイ、１３０…コントローラ、１３２…主制御部、１３４…エンジン制御部、１３６…画像処理部、１３８…入出力制御部、２００…機能ブロック、２０２…起動処理部、２０４…初回起動確認処理部、２０６…ウィザード設定処理部、２０８…初回設定実施記録処理部、２１０…指示受領部、２１２…画像送信処理部、２１４…送信者指定処理部、２２０…ウィザード実施フラグ、２２２…自動送信者指定有効／無効フラグ、２２４…既定送信者情報、３００，３２０，３４０…設定画面、３０２，３２２，３４２…「戻る」ボタン、３０４，３２４，３４４…「次へ」ボタン、３０６，３２６，３４８…メッセージ、３０８…「する」ボタン、３１０…「しない」ボタン、３２８…「直接入力」ボタン、３３０…「管理者」ボタン、３４６…「アドレス」タブ、３５０…テキストボックス、３５２…ソフトウェアキーボード、３６０…送信者入力画面、３６２…キャンセルボタン、３６４…決定ボタン、３６６…タブ、３６８…メッセージ、３７０…テキストボックス、３７２…ソフトウェアキーボード、３８０…送信者指定結果画面、３８２，３９０〜３９８…ＧＵＩ部品、３８４…テキストボックス、３８６，３８８…ボタン、４００…送信者指定画面、４０２〜４１８…ＧＵＩ部品、４２０…ボタン、４２２…キャンセルボタン
【先行技術文献】
【特許文献】
【００８７】
【特許文献１】特開２００７−２４９５１１号公報
【図１】
2015156206.tif 000003
【図２】
2015156206.tif 000004
【図３】
2015156206.tif 000005
【図４】
2015156206.tif 000006
【図５】
2015156206.tif 000007
【図６】
2015156206.tif 000008
【図７】
2015156206.tif 000009
【図８】
2015156206.tif 000010
【図９】
2015156206.tif 000011
【図１０】
2015156206.tif 000012
【図１１】
2015156206.tif 000013
【図１２】
2015156206.tif 000014